(57)【要約】【課題】インターネット通信で世界、全国に一斉発信できるシステム技術を提供する。【解決手段】ＩＴ国家コントロールテーブルを設けて効率よく、誰にでも分るようにシステムを一元管理し、世界に一斉発信して世界の情報をすばやく取得して情報戦略を行うインターネット通信の国家論  世界一斉発信システム開発方法  並びに、次期日本経済  一極集中から地方分権対応の為に世界中のホームページを統一し、容易に一元化し、全国でも全国通信網、世界通信網を開発することを可能とする技術を提供する。  一方  米国ＮＡＳＡにおいて開発されたインターネット（クモの巣）はティム バーナーズ・リー 博士によって世界に発信されたＷＷＷは、本発明によって世界中のホームページが一元化に統一され、世界に一斉発信する世次世代  次期日本経済の全国通信網、世界通信網を開発することを課題とする。【選択図】図１
2008059247.tif 000002
【特許請求の範囲】
【請求項１】
第一発明は、国家論  世界統一ホームページで作成されるＵＲＬテーブルを入力ファイルとすることで世界、全国に一斉発信できる国家論  世界一斉発信のインターネット通信開発手法。
【請求項２】
請求項１記載の国家論  世界一斉発信はプログラムを分り易く、また  システム管理を容易にする為にIT国家コントロールテーブルを危惧したインターネット通信開発手法。
【請求項３】
請求項１〜２いずれか記載の国家論  世界一斉発信はIT国家コントロールテーブルのファイルアクセス管理テーブルを設けたことで、ファイルアクセスをサブルーチン化して、ファイルに関係なくプログラム管理を表で、一元管理できることを特徴とするインターネット通信開発手法。
【発明の詳細な説明】
【技術分野】
【０００１】
本発明は、戦後最悪のデフレ経済脱却の為に世界、全国の企業、または  人々にその国の言葉に会わせて容易にシステムである。なお、本発明の国家論  世界一斉発信は、業務に関係なく商品に適用することができるものである。
【背景技術】
【０００２】
従来世界、全国に一斉発信を開発するには、開発費がかかる為、開発は考えられなかった。  
【０００３】
また近年、ますます世界、全国と商売をしようとする企業、個人の数は年々ふえてきている。
しかしながら、現在までに世界、全国に一斉発信を行うシステム開発するには至っていない。
【０００４】
一方、最近における日本経済は無駄なお金をかけず企業  又は個人がより早く企業、個人に容易に情報を発信して、より速く情報を取得して、より早く商売を行うという方法がますます必要になる。
【０００５】
他方、無駄なお金をかけず全国、世界でインターネット全国通信網、インターネット世界通信網、又  システムを開発する方法について種々提案されているが、いずれも十分なものではなかった。
【０００６】
このように、現在までに提案されているインターネットのシステムの開発方法は世界一斉発信、全国一斉発信は誰にも（管理職、担当者、保守する者）わかりやすく、システム開発期間を短縮化できるものではなく、信頼性、可用性、保守性、安定性、及び安全性を有するシステムを達成する上において多くの課題を抱えており、いまだ、十分満足できるものが提供されていないのが現状である。
【０００７】
【特許文献１】特開２００３−１７７９１４号公報
【発明の開示】
【発明が解決しようとする課題】
【０００８】
しかしながら、以上の技術によれば、開発費をあまりかけずインターネット通信網を利用して、世界又は全国に情報の一斉発信を行い、より早く情報の取得を行い、より速く商売を行い、デフレ経済脱却を行う  並びに  ソフト開発するこという方法は考えられなかった。
【０００９】
そこで、本発明は、世界中  または  全国に一斉発信を容易にして次世代  次期日本経済のデフレ経済脱却方法と世界一斉発信、全国一斉発信、並びにシステム開発することを提供することを課題とする。
【課題を解決するための手段】
【００１０】
以上の課題を解決するために、第一発明は、国家論  世界統一ホームページで作成されるＵＲＬテーブルを入力することを特徴とするシステムである。
【００１１】
また、第二発明は、IT国家コントロールテーブル機能を設け、システムを無駄なく、分りやすくすることを特徴とするシステムである。
【００１２】
また、第三発明は、IT国家コントロールテーブルのファイルアクセス管理テーブルを設けたことで、ファイルアクセスをサブルーチン化して、ファイルに関係なくプログラム管理を表で、一元管理できることを特徴とするシステムである。
【発明の効果】
【００１３】
以上説明したように、本発明の世界一斉発信によれば、下記の今までにない効果を奏するものである。
【００１４】
ＩＴ国家コントロールテーブルを設け、プログラムを誰にでも分り易くして表で、プログラム管理が容易になる。
【００１５】
ファイルアクセス管理テーブルを設けたことで、ファイルに関係なく容易に管理できることを特徴とするシステムである。
【００１６】
次世代  世界一斉発信ができ、これから容易に世界と貿易が可能に。
【００１７】
全国通信網、世界通信網ができ、日本の販売方法が大きく変わりデフレ経済脱却（昭和３９年１１月戦後初の赤字国債発行）となる。
【００１８】
全国の経済格差、情報量不足がなくなる。
【００１９】
次世代  次期日本経済  地方分権の時代は流行は全国各地から生れる時代となる。
【００２０】
これからの産業として全国に派生する。
【００２１】
システム全体の把握が容易であり、品質の向上を図ることができる。
【００２２】
システム構築を一元管理することができる（調査分析→基本設計→詳細設計（プログラム設計）→プログラミング→単体テスト→結合テスト→本番→保守→サービスの対応（機能追加）までを含む）。
【００２３】
システムに対する信頼性、可用性（使いやすい）、及び保守性が向上する。
【００２４】
だれにも（管理職、担当者、保守する者）わかり易く、サービスの追加（機能追加）も容易に行うことができ、自ずから国際品質規格ＩＳＯ９０００系及び国際環境規格ＩＳＯ１４０００系を取得し易くなるという効果を有する。
【００２５】
汎用されている表計算ソフトを用いて使用することができる。
【００２６】
全国で行える全国通信網、世界通信網、システム開発は日本経済の技術革新。
【発明を実施するための最良の形態】
【００２７】
図面に基づいて、本発明の実施の形態を説明する。
【実施例】
【００２８】
図１は、本発明の概念と作用を示す図である。
【００２９】
同図に示すように、本システムの概念は、
（１）入力端末（F６１０）から国家論  世界一斉発信を選択すると、ＩＴ国家コントロールテーブル（Ｆ１００Ａ）が実行される。
（２）ＩＴ国家コントロールテーブル（Ｆ１００Ａ）の配下の元で下記のシステムは実行される。
なお、IT国家コントロールテーブルとはメニューテーブル（図２）、ＳＴＥＰテーブル（図３）、ファイルアクセス管理テーブル（図４）、ファイル管理テーブル（図５）で構成されているテーブル（ＤＢ）である。
【００３０】
（３）発信元登録処理（Ｓ６２０）で、入力端末（Ｆ６２１）より発信元とメッセージ番号を入力して、発信元ＵＲＬテーブル（Ｆ６２２）を読み、存在しない時は、発信元ＵＲＬテーブル（Ｆ６２２）の抽出区分（項番３４）を発信元にして  また  メッセージ番号（項番３３）を設定して、追加する、存在すれば発信元ＵＲＬテーブルの抽出区分（項番３４）を発信元にして、メッセージ番号（項番３３）を設定して更新する。
【００３１】
（３）ｅｍａｉｌ集約処理（Ｓ６３０）で、ＵＲＬテーブル（F６３１）を読み、ｅｍａｉｌ番号(項番１０）で集約ＵＲＬテーブル（F６３２）を読み、存在をしない時は、集約ＵＲＬテーブル（F６３２）に追加を行い、存在する時は、集約ＵＲＬテーブル（F６３２）を更新する。
（４）なお  もちろん  ｅｍａｉｌ番号(項番１０）順にソートして、ｅｍａｉｌ番号(項番１０）で集約処理をして、集約ＵＲＬテーブル（テキストファイル）に出力しても、よろしいです。
（５）一斉発信集約処理（Ｓ６４０）で、発信者ＵＲＬテーブル（Ｆ６２２）を終わりまで読み、下記の送信ファイルを作成する。
（６）集約ＵＲＬテーブル（F６３２）を終わりまで読み、下記の処理を行う。
集約ＵＲＬテーブル（F６３２）より国番号(項番３）を取得して、言語変換テーブル(Ｆ６４１)を読み、言語区分(項番４０１２）を取得する。
集約ＵＲＬテーブル（F６３２）より国番号(項番３）と言語変換テーブル(Ｆ６４１)から、言語メッセージテーブル(Ｆ６４２)を読み、送信ファイル（F４０３）を作成する。
（７）世界一斉発信処理（Ｓ５００）で送信ファイル（F４０３）を読み、世界の企業、人々に発信（F５０１）する。
【００３２】
図１の、本発明の世界一斉発信処理のレイアウト説明する。
【００３３】
なお  テーブルとはＤＢでＲＤＢ（リレーショナル・データベース）を対象としております。
【００３４】
なお  ファイルとはテキストファイルを対象としております。
【００３５】
図２はメニューテーブルのファイルレイアウトイメージである。
【００３６】
図３はＳＴＥＰテーブルのファイルレイアウトイメージである。
【００３７】
図４はファイルアクセス管理テーブルのファイルレイアウトイメージである。
【００３８】
図５はファイル管理テーブルのファイルレイアウトイメージである。
【００３９】
図６はＵＲＬテーブル，発信元ＵＲＬテーブル、集約ＵＲＬテーブルのファイルレイアウトイメージである。
【００４０】
ＵＲＬテーブルはｈｔｔｐ（項番１）をキーとするテーブルである。
【００４１】
発信元ＵＲＬテーブルはｅｍａｉｌ番号(項番１０）（送信）をキーとするテーブルである。
【００４２】
集約ＵＲＬテーブルはｅｍａｉｌ番号(項番１０）（発信）をキーとするテーブルである。
【００４３】
図７は言語変換テーブルのファイルレイアウトイメージである。
【００４４】
国番号(項番３）をキーとするテーブルである。データ部は言語区分(項番４０１２）である。
【００４５】
図８は言語メッセージテーブルのファイルレイアウトイメージである。
【００４６】
メッセージ番号（項番４０２１）、言語区分(項番４０２２）をキーとするテーブルである。データ部はメッセージである。
【００４７】
図９は送信ファイルのファイルレイアウトイメージである。
【００４８】
テキストファイルである。項目は宛先ｅｍａｉｌ（項番４０３１），発信先ｅｍａｉ（項番４０３２），メッセージ（項番４０３３）である。
【００４９】
本発明を図１のプロセスフロー処理詳細を説明する。
【００５０】
なお  ＩＴ国家コントロールテーブル使用する。
【００５１】
図１の、本発明の処理前に項目を設定しておく。
【００５２】
図２のようにメニューテーブルは設定しておく。
【００５３】
図３のようにＳＴＥＰテーブルは設定しておく。
【００５４】
図４のようにファイルアクセス管理テーブルは設定しておく。
【００５５】
図４のファイルアクセス管理テーブルの○の説明を行う。
【００５６】
図４のＤＢ入出力パラメータ（３０６Ａ）、ＤＢ入出力キーオプション（３１０Ａ）の○の説明は図１０に記載。
【００５７】
図４のＤＢ入出力キー数値パラメータ（３１４Ａ）の○は読込むキーを設定する。なお  キーは数値項目とする。
【００５８】
図５のようにファイル管理テーブルは設定しておく。
【００５９】
図７のように言語変換テーブルは設定しておく。
【００６０】
図８のように言語メッセージテーブルは設定しておく。
【００６１】
図１の、本発明の詳細を説明する。
【００６２】
入力選択（Ｆ６１０）で業務番号を入力してメニューテーブル（図２）の世界一斉発信処理（項番３）を実行する。
【００６３】
下記の処理をＳＴＥＰテーブルの区分番号（２０１）が変わるまで繰返し処理を行う。
【００６４】
区分番号（２０１）でＳＴＥＰテーブル（図３）を順次読込を行う。
【００６５】
下記の処理を区分番号（３０１）が変わるまで繰返し処理を行う。
【００６６】
１．ＳＴＥＰテーブル（図３）の区分番号（２０１）、概要番号（２０２）でファイルアクセス管理テーブル（図４）を順次読込を行う。
２．ファイル番号（３０３）でファイル番号が０（オープン）の時、区分番号（４０１）、概要番号（４０２）が変わるまで、ファイル管理テーブル（図５）を順次読込を行い、メモリにロードする。
３．上記以外の時、ファイルアクセス管理テーブル（図４）をメモリにロードする。
【００６７】
上記処理でメニューテーブル（１００）、ＳＴＥＰテーブル（２００）、ファイルアクセス管理テーブル（３００）、ファイル管理テーブル（４００）の使用テーブルは全てメモリにロードされる。
【００６８】
図１の発信元登録処理（Ｓ６２０）が実行される。
【００６９】
図４の項番１の説明である。
【００７０】
ファイル番号（３０３）は０でオープン処理である。
【００７１】
上記は図５のファイル管理テーブルのファイル名（４０４）  または入出力通番（４０５）でオープン処理を行う。
【００７２】
また  サブルーチン名（３０５）はオープン処理ｒｔｎ（項番１）を使用する。
【００７３】
図４の項番２の説明である。
【００７４】
入出力区分（３０４）はＵで更新である。
【００７５】
また  ファイル編成（４０６）はテーブル（ＤＢ）である。
【００７６】
また  サブルーチン名（３０５）は発信元ＵＲＬテーブル更新ｒｔｎ（項番２）である。
【００７７】
図４の項番３の説明である。
【００７８】
入出力区分（３０４）はＲＨで更新系の読込です。
【００７９】
また  ファイル編成（４０６）はテーブル（ＤＢ）である。SELECTのファイル名、ＦＲＯＭのファイル名はファイル名（４０４）より取得する。発信元ＵＲＬテーブルである。
【００８０】
図４の項番４の説明である。
【００８１】
ファイル編成（４０６）はＤＢである。
【００８２】
また  入出力区分（３０４）はＷで追加である。
【００８３】
また  ファイルをオープンするときのファイル名は、図５のファイル名（４０４）より取得する。発信元ＵＲＬテーブルである。
【００８４】
また  サブルーチン名（３０５）は発信元ＵＲＬテーブル作成ｒｔｎ（項番４）である。
【００８５】
上記で発信元登録（Ｓ６２０）がＩＴ国家コントロールテーブルの配下で実行される。
【００８６】
図１の一斉ｅｍａｉｌ集約処理（Ｓ６３０）が実行される。
【００８７】
図４の項番５の説明である。
【００８８】
ファイル番号（３０３）は０でオープン処理である。
【００８９】
上記は図５のファイル管理テーブルのファイル名（４０４）  または入出力通番（４０５）でオープン処理を行う。
【００９０】
また  サブルーチン名（３０５）はオープン処理ｒｔｎ（項番５）を使用する。
【００９１】
図４の項番６の説明である。
【００９２】
入出力区分（３０４）はＳＲで順次読込です。
【００９３】
また  ファイル編成（４０６）はテーブル（ＤＢ）である。SELECTのファイル名、ＦＲＯＭのファイル名はファイル名（４０４）より取得する。ＵＲＬテーブルである。
【００９４】
また  読むサブルーチン（３０５）はＵＲＬテーブル順次読込ｒｔｎ（項番６）である。
【００９５】
図４の項番７の説明である。
【００９６】
入出力区分（３０４）はＲＨで更新系の読込です。
【００９７】
また  ファイル編成（４０６）はテーブル（ＤＢ）である。SELECTのファイル名、ＦＲＯＭのファイル名はファイル名（４０４）より取得する。集約ＵＲＬテーブルである。
【００９８】
図４の項番８の説明である。
【００９９】
入出力区分（３０４）はＵで更新である。
【０１００】
また  ファイル編成（４０６）はテーブル（ＤＢ）である。
【０１０１】
また  サブルーチン名（３０５）は集約ＵＲＬテーブル更新ｒｔｎ（項番８）である。
【０１０２】
ファイル編成（４０６）はテーブル（ＤＢ）である。
【０１０３】
また  入出力区分（３０４）はＷで追加である。
【０１０４】
また  ファイルをオープンするときのファイル名は、図５のファイル名（４０４）より取得する。集約ＵＲＬテーブルである。
【０１０５】
また  サブルーチン名（３０５）は集約ＵＲＬテーブル作成ｒｔｎ（項番９）である。
【０１０６】
上記で一斉ｅｍａｉｌ集約処理（Ｓ６３０）がＩＴ国家コントロールテーブルの配下で実行される。
【０１０７】
図１の世界一斉発信集約処理（Ｓ６４０）が実行される。
【０１０８】
図４の項番１０の説明である。
【０１０９】
ファイル番号（３０３）は０でオープン処理である。
【０１１０】
上記は図５のファイル管理テーブルのファイル名（４０４）  または入出力通番（４０５）でオープン処理を行う。
【０１１１】
また  サブルーチン名（３０５）はオープン処理ｒｔｎ（項番１０）を使用する。
【０１１２】
図４の項番１１の説明である。
【０１１３】
入出力区分（３０４）はＳＲで順次読込です。
【０１１４】
また  ファイル編成（４０６）はテーブル（ＤＢ）である。SELECTのファイル名、ＦＲＯＭのファイル名はファイル名（４０４）より取得する。集約ＵＲＬテーブルである。
【０１１５】
また  読むサブルーチン（３０５）は集約ＵＲＬテーブル順次読込ｒｔｎ（項番１１）である。
【０１１６】
図４の項番１２の説明である。
【０１１７】
入出力区分（３０４）はＳＲで順次読込です。
【０１１８】
また  ファイル編成（４０６）はテーブル（ＤＢ）である。SELECTのファイル名、ＦＲＯＭのファイル名はファイル名（４０４）より取得する。集約ＵＲＬテーブルである。
【０１１９】
また  読むサブルーチン（３０５）は発信元ＵＲＬテーブル順次読込ｒｔｎ（項番１２）である。
【０１２０】
図４の項番１３の説明である。
【０１２１】
入出力区分（３０４）はＲで読込です。
【０１２２】
また  ファイル編成（４０６）はテーブル（ＤＢ）である。SELECTのファイル名、ＦＲＯＭのファイル名はファイル名（４０４）より取得する。言語変換テーブルである。
【０１２３】
また  読むサブルーチン（３０５）は言語変換テーブル読込ｒｔｎ（項番１３）である。
【０１２４】
図４の項番１４の説明である。
【０１２５】
入出力区分（３０４）はＲで読込です。
【０１２６】
また  ファイル編成（４０６）はテーブル（ＤＢ）である。SELECTのファイル名、ＦＲＯＭのファイル名はファイル名（４０４）より取得する。言語メッセージテーブルである。
【０１２７】
また  読むサブルーチン（３０５）は言語メッセージテーブルｒｔｎ（項番１４）である。
図４の項番１５の説明である。
【０１２８】
ファイル編成（４０６）はテキストファイルである。
【０１２９】
また  入出力区分（３０４）はＷで追加である。
【０１３０】
また  ファイルをオープンするときのファイル名は、図５のファイル名（４０４）より取得する。送信ファイルである。
【０１３１】
また  ファイルをオープンするときの入出力通番は図５の入出力通番（４０５）より取得する。１である。
【０１３２】
また  サブルーチン名（３０５）は送信ファイル作成ｒｔｎ（項番１５）である。
【０１３３】
上記で世界一斉発信集約処理（Ｓ６４０）がＩＴ国家コントロールテーブルの配下で実行される。
【０１３４】
図１の世界一斉発信処理（Ｓ５００）が実行される。
【０１３５】
図４の項番１６の説明である。
【０１３６】
ファイル番号（３０３）は０でオープン処理である。
【０１３７】
上記は図５のファイル管理テーブルのファイル名（４０４）  または入出力通番（４０５）でオープン処理を行う。
【０１３８】
また  サブルーチン名（３０５）はオープン処理ｒｔｎ（項番１６）を使用する。
【０１３９】
図４の項番１７の説明である。
【０１４０】
入出力区分（３０４）はＳＲで順次読込である。
【０１４１】
また  ファイル編成（４０６）はテキストファイルである。
【０１４２】
また  サブルーチン名（３０５）は送信ファイル順次読込ｒｔｎ（項番１７）である。
【０１４３】
上記で世界一斉発信処理（Ｓ５００）がＩＴ国家コントロールテーブルの配下で実行される。
【０１４４】
ＩＴ国家コントロールテーブルがあるのとないのと比較するとＩＴ国家コントロールテーブルありの方が作業工数がかかるように見えるが、その分プログラムに付加がかかり、動いているだけのプログラムとなり、一元管理ができなくなり、機能追加，修正等に工数がかかる。
【０１４５】
以上説明した本発明の国家論  世界一斉発信、具体的には、以下の用途に用いることができる。なお、用途はこれらに限定されるものではない。例えば、案内、新製品発売、ホームページ案内、大売り出し、商品案内、緊急案内などが挙げられ、特に案内関係には便利です。
【０１４６】
以上、本発明の国家論  世界一斉発信、及び該国家論  世界世界一斉発信を用いたシステム開発方法並びにシステムの一実施の形態について詳細に説明したが、本発明は、前記実施の形態に限定されず、本発明の要旨を逸脱しない範囲で種々変更しても差し支えない。
【０１４７】
また  ＩＴ国家コントロールテーブルの使用に対してはＩＴ国家コントロールテーブルに書いてあります。
【０１４８】
また  住所等が必要な時は、住所マスターから取得する。
【図面の簡単な説明】
【０１４９】
【図１】国家論  世界一斉発信の概要説明図である。
【図２】ＩＴ国家コントロールテーブルのメニューテーブル
【図３】ＩＴ国家コントロールテーブルのＳＴＥＰテーブル
【図４】ＩＴ国家コントロールテーブルのファイルアクセス管理テーブル
【図５】ＩＴ国家コントロールテーブルのファイル管理テーブル
【図６】ＵＲＬテーブル、発信元ＵＲＬテーブル、集約ＵＲＬテーブルのレイアウトイメージである。
【図７】言語変換テーブルのレイアウトイメージである。
【図８】言語メッセージテーブルのレイアウトイメージである。
【図９】送信ファイルのレイアウトイメージである。
【図１０】ファイルアクセス管理テーブルのＤＢ入出力パラメータ、ＤＢ入出力キーオプションの説明図である。
【符号の説明】
【０１５０】
F１００Ａ：IT国家コントロールテーブル
Ｆ６１０：入力端末
Ｆ６２１：入力端末
Ｓ６２０：発信元登録処理
Ｆ６２２：発信元ＵＲＬテーブル
Ｓ６３０：ｅｍａｉｌ集約処理
Ｆ６３１：ＵＲＬテーブル
Ｆ６３２：集約ＵＲＬテーブル
Ｓ６４０：一斉発信集約処理
Ｆ６４１：言語変換テーブル
Ｆ６４２：言語メッセージテーブル
Ｆ６４３：送信ファイル
Ｓ６５０：世界一斉発信処理
Ｆ６５１：相手側
【図１】
2008059247.tif 000003
【図２】
2008059247.tif 000004
【図３】
2008059247.tif 000005
【図４】
2008059247.tif 000006
【図５】
2008059247.tif 000007
【図６】
2008059247.tif 000008
【図７】
2008059247.tif 000009
【図８】
2008059247.tif 000010
【図９】
2008059247.tif 000011
【図１０】
2008059247.tif 000012